(57)【特許請求の範囲】
【請求項１】
記録媒体であるディスク１を回転自在に収容した本体ケース２の上下面２ａ・２ｂの左右の一側端部に、上下面２ａ・２ｂより少し低く落ち込む段落ち面３・３を一側面２ｃにまで平らに形成してあり、
各段落ち面３に信号読書用の窓孔４がそれぞれ開口されているとともに、この窓孔４を開閉するプラスチック製のシャッター５が装着されており、
シャッター５は断面ほぼコ字形に形成されていて上下の主面板６・７と、この主面板６・７の一端どうしをつなぐ背面板９とを有しており、
本体ケース２の上下の段落ち面３・３上に、シャッター５がその主面板６・７で窓孔４を閉じる位置と開ける位置とにわたって前後スライド自在に装着されているディスクカートリッジにおいて、
装着前の自由状態において、シャッター５の上下の主面板６・７は、背面板９との連接側の付根部領域Ａ・Ａどうしが、本体ケース２の上下の段落ち面３・３間の厚みｔと同等か、それよりも僅かに大きい間隔をおいてほぼ平行に対向し、各付根部領域Ａより遊端６ａ・７ａに至るまでの遊端側領域Ｂ・Ｂどうしが、遊端６ａ・７ａ側に行くに従い漸次接近し合うテーパー状に、前記厚みｔよりも小さい間隔をおいて対向するように形成されており、
本体ケース２の一側面２ｃと上下の各段落ち面３とが交わるコーナー部分にアールＲを付けることにより、シャッター５の背面板９が、本体ケース２の一側面２ｃに対して線接触状態に当接しており、
シャッター５の上側の主面板６における背面板９寄り側の端部内面には抜け止めを兼ねたスライド突起１２を下向きに設け、本体ケース２の上側の段落ち面３には前後方向に走る凹溝１３を設けてあり、この凹溝１３にスライド突起１２がスライド自在に係合しており、
シャッター５の背面板９は、主面板６・７よりも前後方向に長く延設されて、その前方の延出部９ａおよび後方の延出部９ｂの各下端縁には抜け止め爪１４・１４を上向きに設け、本体ケース２の下面２ｂ側には前後方向に走る凹溝１５を設けてあり、この凹溝１５に抜け止め爪１４・１４がスライド自在に係合していることを特徴とするディスクカートリッジ。
【請求項２】
主面板６・７の各付根部領域Ａ・Ａが、上下面２ａ・２ｂの窓孔４の一側面２ｃ寄りの孔縁部４ａを覆う部位に相当している請求項１記載のディスクカートリッジ。
【発明の詳細な説明】
【０００１】
【発明の属する技術分野】
本発明は、磁気ディスク、光ディスク、光磁気ディスク等の記録媒体であるディスクが本体ケースに内蔵されているディスクカートリッジに関する。
【０００２】
【従来の技術】
この種のディスクカートリッジとして、例えば、図４および図５に示すごとく直径６４mmのディスクを内蔵するミニディスクがある。これはディスク１を回転自在に収容する本体ケース２の上下面２ａ・２ｂの一側端寄りに、信号読書用の窓孔４・４を設け、この窓孔４・４をシャッター５で開閉する仕様のものである。シャッター５は断面コ字形に形成されて上下の主面板６・７と、この主面板６・７の一端どうしをつなぐ背面板９とを有する。シャッター５は本体ケース２の一側面２ｃ寄りの端部に前後スライド自在に装着されて上下の主面板６・７で窓孔４・４を開閉する。かかるシャッター５には、薄いステンレス板など金属製のものと、ポリプロピレンなどプラスチック製のものとがある。このうち前者は意匠目的でそれ自体に着色を施すことが困難であり、加工コストが高くつく。後者は着色は容易で、しかも量産化によって安価に提供できるというメリットがある。
【０００３】
【発明が解決しようとする課題】
しかるに、小型で薄型化されたミニディスクでは、プラスチック製のシャッター５の板厚が自ずと薄く設定される（１mm未満、例えば0.５〜0.６mm）。このようなプラスチック製の薄いシャッター５において、上下の主面板６・７を本体ケース２の上下面２ａ・２ｂに密着状態に装着するには、装着前の自由状態において、図６に示すごとく上下の主面板６・７が背面板９との連接側の付根部領域から遊端６ａ・７ａに至るまでの全長にわたって、遊端６ａ・７ａの方向に行くに従い漸次接近し合うテーパー状に対向するように形成されていた。これによりシャッター５は、上下の主面板６・７の遊端６ａ・７ａ側をその弾性に抗して拡開させて本体ケース２に装着すると、上下の主面板６・７が弾性復元作用で本体ケース２の窓孔４の外周辺に密着する状態が得られて窓孔４への塵埃侵入防止を図っていた。
【０００４】
しかし、図５に示すごとく主面板６・７は、背面板９との連接側の付根部領域Ａ・Ａが本体ケース２の上下面２ａ・２ｂに対し、背面板９より遠ざかる遊端側領域Ｂでの押し付け力よりも強く押し付けられるため、この付根部領域Ａ・Ａと上下面２ａ・２ｂの窓孔４の一側面２ｃ寄りの孔縁部４ａとの接触面間において摺動摩擦抵抗が大きくなり、シャッター５を円滑軽快に開閉し難い。また、シャッター５の背面板９は本体ケース２の一側面２ｃに対し面接触状態で摺動しているため、この点でもシャッター５の円滑な開閉を妨げる原因になっていた。
【０００５】
本発明の目的は、本体ケースへの密着性を確保し得ながら摺動摩擦抵抗の低減化が図れて、円滑軽快な開閉が可能なプラスチック製のシャッターを備えたディスクカートリッジを提供することにある。
【０００６】
【課題を解決するための手段】
本発明に係るディスクカートリッジは、図１および図２に示すごとく、記録媒体であるディスク１を回転自在に収容した本体ケース２の上下面２ａ・２ｂに、信号読書用の窓孔４が開口されているとともに、この窓孔４を開閉するプラスチック製のシャッター５が装着されており、シャッター５は断面ほぼコ字形に形成されていて、上下の主面板６・７と、この主面板６・７の一端どうしをつなぐ背面板９とを有し、本体ケース２の一側面２ｃ寄りの端部に、シャッター５がその主面板６・７で窓孔４を閉じる位置と開ける位置とにわたって前後スライド自在に装着されている。
【０００７】
そのうえで本発明のシャッター５は、図３に示すごとく装着前の自由状態において、上下の主面板６・７は背面板９との連接側の付根部領域Ａ・Ａどうしが本体ケース２の上下面２ａ・２ｂ間の厚みｔと同等か、それよりも僅かに大きい間隔をおいてほぼ平行に対向しており、各付根部領域Ａより遊端６ａ・７ａに至るまでの遊端側領域Ｂ・Ｂどうしが遊端６ａ・７ａ側に行くに従い漸次接近し合うテーパー状に、前記厚みｔよりも狭い間隔をおいて対向するように形成されていることを特徴とする。
【０００８】
前記主面板６・７の各付根部領域Ａ・Ａは、上下面２ａ・２ｂの窓孔４の一側面２ｃ寄りの孔縁部４ａを覆う部位に相当する。また、背面板９は本体ケース１の一側面２ｃに対し線接触状態に当接したものとなっている。
【０００９】
【作用】
上下の主面板６・７の付根部領域Ａ・Ａは、本体ケース２の上下面２ａ・２ｂ間の厚みｔと同等かそれよりも僅かに大きい間隔でほぼ平行に対向しているので、本体ケース２の上下面２ａ・２ｂに対する押し付け力が実質的に零となり、主面板６・７の上下面２ａ・２ｂとの摺動摩擦抵抗の低減に大きく寄与できる。主面板６・７の遊端側領域Ｂ・Ｂは、遊端６ａ・７ａ側に行くに従い漸次接近し合うテーパー状に、前記厚みｔよりも狭い間隔で対向しているので、本体ケース２の窓孔４の外周辺に密着させて窓孔４への塵埃侵入防止を確保できる。このように本体ケース１の上下面２ａ・２ｂに密着する遊端側領域Ｂ・Ｂは背面板９から遠ざかる領域であって、上下面２ａ・２ｂに対する押し付け力は低いため、上下面２ａ・２ｂとの摺動摩擦抵抗を高めるようなことはない。
【００１０】
【発明の実施の形態】
図１ないし図３は本発明に係るディスクカートリッジの一実施例を示しており、ここには直径６４mmのディスク１を本体ケース２に回転自在に収容したミニディスクが例示されている。本体ケース２は薄型の四角形状に形成し、その上下面２ａ・２ｂの左右の一側端部（図上、右端部）に、上下面２ａ・２ｂより少し低く落ち込む四角形状の段落ち面３・３を一側面２ｃにまで平らに形成してあり、各段落ち面３のほぼ前方寄り中央部位に信号読書用の四角形状の窓孔４が開口している。この窓孔４の左右側方および前側方の三周縁の上面には、段落ち面３上において狭幅に設定されている。この窓孔４に前記ディスク１が臨んでいる。
【００１１】
窓孔４を開閉するシャッター５を有する。このシャッター５は、ポリプロピレンあるいはポリアセタールなどの樹脂で断面ほぼコ字形に形成されて、上下一対の主面板６・７と、主面板６・７の左右方向の一端どうしをつなぐ背面板９とを有する。主面板６・７は窓孔４より一まわり大きい四角形に形成されている。主面板６・７および背面板９の板厚は、シャッター５の薄型化と射出成形限界を確保するために、0.６〜0.６５mm程度に設定した。
【００１２】
上下の主面板６・７は、装着前の自由状態において、図３に示すごとく背面板９と連接する側の付根部領域Ａ・Ａどうしがほぼ平行に対向し、各付根部領域Ａより遊端６ａ・７ａに至るまでの遊端側領域Ｂ・Ｂどうしが遊端６ａ・７ａ側に行くに従い漸次接近し合うテーパー状に対向するように形成されている。付根部領域Ａ・Ａの内面どうし間の間隔Ｘは、本体ケース２の上下の段落ち面３・３間の厚みｔ（図２参照）と同じか、それよりも僅かに大きく設定する。遊端側領域Ｂ・Ｂの内面どうし間の間隔Ｙは、遊端側に至るに従い前記厚みｔよりも次第に狭くなるよう設定する。具体的には、前記厚みｔは3.９２mm、間隔Ｘは4.０mm、間隔Ｙの最小間隔は２〜2.５mm程度とした。
【００１３】
かくして、本体ケース２の上下の段落ち面３・３上にシャッター５を前後スライド自在に装着すると、シャッター５の付根部領域Ａ・Ａの内面どうしは、本体ケース２の段落ち面３・３間の厚みｔと同じかそれよりも僅かに大きい間隔Ｘを保持するので、段落ち面３・３上における窓孔４の一側面２ｃ寄りの孔縁部４ａおよびこれの前後延長部に対し僅かな隙間を形成するか、隙間無しで軽く接触して押し付け力が実質的に零となる。遊端側領域Ｂ・Ｂの内面どうしは主面板６・７の弾性復元作用で段落ち面３・３上の窓孔４の外周辺に密着する。
【００１４】
シャッター５の装着に際し、その背面板９は本体ケース２の一側面２ｃに対し、前後方向にはスライド自在に、かつ右外側方には抜け止め状に当接させる。そのために、図１および図２に示すように、本体ケース２の一側面２ｃには、上下方向の中央部位に前後方向に走るガイド溝１７を設け、一側面２ｃと上下の各段落ち面３とが交わるコーナー部分にアールＲを付けることにより、背面板９の内面を一側面２ｃに対し線接触状態に当接させる。主面板６における背面板９寄り側の端部内面には抜け止めを兼ねたスライド突起１２を下向きに設け、本体ケース２の上側の段落ち面３には前後方向に走る凹溝１３を設けてあり、この凹溝１３にスライド突起１２がスライド自在に係合している。背面板９は、図１に示すごとく主面板６・７よりも前後方向に長く延設してあり、その前方の延出部９ａおよび後方の延出部９ｂの各下端縁には抜け止め爪１４・１４を上向きに設け、本体ケース２の下面２ｂ側には前後方向に走る凹溝１５を設けてあり、この凹溝１５に抜け止め爪１４・１４がスライド自在に係合している。また、前方の延出部９ａおよび後方の延出部９ｂの各上端縁には、スライド突起１６・１６を設けてあり、このスライド突起１６・１６は本体ケース２の一側面２ｃに前後方向に設けた前記ガイド溝１７にスライド自在に遊嵌している。
【００１５】
このように装着されたシャッター５は、本体ケース２の上下の段落ち面３・３上および一側面２ｃ上を前後スライドして窓孔４を開閉するが、主面板６・７のほぼ平行な付根部領域Ａ・Ａの内面では段落ち面３・３に対し押し付け力を実質的に零としてあるので、この主面板６・７における付根部領域Ａ・Ａの内面での摺動摩擦抵抗は皆無に近く、遊端側領域Ｂ・Ｂの内面と段落ち面３・３との密着面間で摺動摩擦抵抗が生じるだけである。摺動摩擦抵抗が生じる遊端側領域Ｂ・Ｂは、付根部領域Ａ・Ａよりも拡開方向にたわみ変形し易くて段落ち面３・３に対する押し付け力が弱いため、遊端側領域Ｂ・Ｂの内面と段落ち面３・３との密着面間で生じる摺動摩擦力は小さい。このため、上下の主面板６・７と段落ち面３・３との接触面間で生じる摺動摩擦抵抗を著しく低減できる。加えて、背面板９の内面は本体ケース２の一側面２ｃに対し線接触しているので、この接触面間での摺動摩擦抵抗も小さくて済む。従って、シャッター５これ全体が本体ケース２に対し軽い操作力で円滑にスライドし、その閉じ状態では遊端側領域Ｂ・Ｂが段落ち面３・３に密着して窓孔４への塵埃侵入防止を確保する。
【００１７】
【発明の効果】
本発明によれば、自由状態においてシャッター５の上下の主面板６・７は、付根部領域Ａ・Ａが本体ケース２の上下面２ａ・２ｂ間の厚みｔと同等か僅かに大きい間隔でほぼ平行に対向し、遊端側領域Ｂ・Ｂがテーパー状に前記厚みｔよりも狭い間隔で対向するように形成してあるので、本体ケース１に対するシャッター５の密着性と防塵性とを確保したうえで、摺動摩擦抵抗を低減できて円滑軽快に開閉できる。シャッター５の背面板９は、本体ケース２の一側面２ｃに対し線接触しているので、シャッター５の円滑な開閉機能を更に一層向上できる。
【図面の簡単な説明】
【図１】シャッターを取り外し状態でのディスクカートリッジの外観斜視図である。
【図２】要部の縦断正面図である。
【図３】自由状態におけるシャッターの縦断正面図である。
【図４】従来例のディスクカートリッジを示す斜視図である。
【図５】図４に示すディスクカートリッジの要部の縦断正面図である。
【図６】図４に示すシャッターの自由状態における正面図である。
【符号の説明】
１  ディスク
２  本体ケース
２ａ  上面
２ｂ  下面
２ｃ  一側面
４  窓孔
４ａ  孔縁部
５  シャッター
６  上側の主面板
６ａ  遊端
７  下側の主面板
７ａ  遊端
９  背面板
Ａ  付根部領域
Ｂ  遊端側領域
【図１】
0003651641.tif 000002
【図２】
0003651641.tif 000003
【図３】
0003651641.tif 000004
【図４】
0003651641.tif 000005
【図５】
0003651641.tif 000006
【図６】
0003651641.tif 000007